(57)【要約】【課題】従来の防水機構では、防水機能と誤動作防止機能を両立することができなかった。そこで、防水機能を損なうことなく、誤動作を防止する機構を構成した防水カバーを提供することを目的とする。【解決手段】操作部の周囲のスイッチ本体にフランジ部を設けた操作用スイッチの防水カバーにおいて、前記フランジ部を包み込むとともに、下面に周設されパネル面と密着する圧接リブ１ａと、上面に設けた誤動作防止壁１ｂを弾性部材で一体に形成することにより、防水性能を損なうことなく誤動作防止機能を具備する防水カバーを得ることができる。【選択図】図１
2009076283.tif 000002
【特許請求の範囲】
【請求項１】
操作部の周囲のスイッチ本体にフランジ部を設けた操作用スイッチの防水カバーにおいて、前記フランジ部を包み込むとともに、下面に周設されパネル面と密着する圧接リブと、上面に設けた誤動作防止壁を弾性部材で一体に形成したことを特徴とする防水カバー。
【請求項２】
前記誤動作防止壁の上部を曲線形状としたことを特徴とする防水カバー。
【発明の詳細な説明】
【技術分野】
【０００１】
本発明は、波型スイッチ用の防水カバーに係り、誤動作防止機構を設けた防水カバーに関する。
【背景技術】
【０００２】
従来のスイッチの防水構造はスイッチのフランジ部とパネル表面との間にゴム座金や発砲部材により形成されたパッキンを挟むことが一般的であった。しかし、パッキンを押し潰し防水性を得るため、パッキンが変形してフランジ部からはみ出し、性能面だけでなく外観面で問題となっていた。その問題を解決するため、防水性を向上するとともにデザイン的にも優れたフランジ部を包み込むように取付ける防水カバーがあった。
【特許文献１】特開平１１−２４２９２２号
【発明の開示】
【発明が解決しようとする課題】
【０００３】
しかしながら、従来の防水構造ではフランジ部を包み込むように防水カバーを取付けているために誤動作防止用の部品を取付けることができず、誤動作防止用の部品を取付けた場合には防水カバーを取付けることができないために防水機能が失われてしまい、二つの機能を両立することができなかった。
【０００４】
そこで本発明の防水カバーは上記の問題を解決可能な防水カバーを提供することを目的とする。
【課題を解決するための手段】
【０００５】
本発明は上記目的を達成するため、フランジ部を包み込むとともに、下面に周設されパネル面と密着する圧接リブと、上面に設けた誤動作防止壁を弾性部材で一体に形成したものである。
【発明の効果】
【０００６】
本発明によれば、次のような効果を奏することができる。
（１）防水性能を維持しつつ誤動作防止機能を具備することができる。
（２）弾性部材で形成しているため、誤動作防止機能を維持しつつスイッチ操作時には指が入りやすく操作がしやすくすることができる。
（３）弾性部材で形成しているため、取付けやすくすることができる。
（４）弾性部材で一体形成しているため、つくりが簡素化できる。
（５）弾性部材で形成しているため、強い衝撃が加えられても破損しにくくすることができる。
（６）誤動作防止壁の上部を曲線形状とすることで、操作性を損なうことなく強度を向上させるとともに、操作部の形状を認識しやすくすることができる。
【発明を実施するための最良の形態】
【０００７】
本発明は、スイッチのフランジ部を包み込むとともに、下面に周設されパネル面と密着する圧接リブと、上面に設けた誤動作防止壁を弾性部材で一体に形成した構成とする。よって、防水性能を維持しつつ誤動作防止機能を具備することが可能となる。
【実施例】
【０００８】
以下、本発明の実施例について、図面を参照しながら詳細に説明する。
【０００９】
図１は本発明の第一実施例を表す防水カバーの斜視図、図２はその防水カバーの要部断面図であり、、図２（ａ）はその防水カバーの正面図を、図２（ｂ）はその防水カバーの平面図を、図２（ｃ）はその防水カバーの側面図を示している。図３は本発明の第一実施例を表す防水カバーをスイッチに装着時の斜視図、図４は本発明の第二実施例を表す防水カバーであり、図４（ａ）はその防水カバーの斜視図を、図４（ｂ）はその防水カバーのＡ−Ａ断面図を示している。
【００１０】
図１から図３において、防水カバー１には下面に周設されパネル表面と密着する圧接リブ１ａと、上面に操作部の左右に配置され上部を曲線形状とした誤動作防止壁１ｂが形成されている。防水カバー１をＮＢＲ／硬度Ｈｓ４５°で形成することで、柔軟性と誤動作防止壁１ｂに必要な強度を確保している。
【００１１】
以上のことから、図３に示すようにスイッチ２のフランジ部を包み込むように防水カバー１を嵌着させ、本発明の防水カバーが完成する。
【００１２】
以上のように構成された、本発明の防水カバーは、スイッチをパネルに取付けた状態で圧接リブ１ａが押し潰されてパネル表面に密着することで防水性能が得られ、上面に形成した誤動作防止壁１ｂにより誤動作を防止する。
【００１３】
このように、本実施例に示す防水カバーは、圧接リブ１ａによる防水機能と誤動作防止壁１ｂによる誤動作防止機能の両立が可能な構成としたという特徴を有している。
【００１４】
さらに、防水カバー１をＮＢＲ／硬度Ｈｓ４５°で形成したことにより、誤動作防止壁１ｂはある程度の外側方向への広がりが許容できるため狭いスペースでも指が入りやすく操作がしやすいこと、スイッチへの装着がしやすいこと、強い衝撃が加えられても破損しにくいことなど柔軟性を活かした特徴を有している。
【００１５】
さらに、誤動作防止壁１ｂの上部を中央部を凹部とする曲線形状としたことにより、高さに対する厚みの比率を上げることにより強度を向上させることができるとともに、スイッチの操作部形状にあわせた曲線形状としたため操作性を損なうことがなく、操作部の形状を認識しやすいという特徴を有している。
【００１６】
本実施例では防水カバー１を形成する弾性部材をＮＢＲ／硬度Ｈｓ４５°としているが、柔軟性を維持しつつ誤動作防止壁１ｂの強度を確保できる材料としてもよく、種々の方法が考えられる。
【００１７】
図４は本発明の第二実施例を示す開口部１ｃに肉厚部を設けた防水カバーの図である。開口部１ｃにスイッチの操作部にあわせた滑らかな曲線形状の肉厚部を設けたことにより、操作性を損なうことなく、誤動作防止壁１ｂの左右方向への強度を向上することができる。
【００１８】
なお、本発明は上記の実施例に限定されるものではなく、本発明の趣旨に基づき種々の変形が可能であり、これらを本発明の範囲から排除するものではない。
【産業上の利用可能性】
【００１９】
本発明の防水カバーは、防水機能と誤動作防止機能を有する防水カバーとして利用可能である。
【図面の簡単な説明】
【００２０】
【図１】本発明の第一実施例を表す防水カバーの斜視図である。
【図２】本発明の第一実施例を表す防水カバーの要部断面図である。
【図３】本発明の第一実施例を表す防水カバーのスイッチに装着時の斜視図である。
【図４】本発明の第二実施例を表す防水カバーの図である。
【符号の説明】
【００２１】
１    防水カバー
１ａ  圧接リブ
１ｂ  誤動作防止壁
１ｃ  開口部
２    スイッチ
２ａ  操作部
【図１】
2009076283.tif 000003
【図２】
2009076283.tif 000004
【図３】
2009076283.tif 000005
【図４】
2009076283.tif 000006